Podtech/llm-jp-corpus-v4-ja_patent huggingface dataset:
(57)【要約】【課題】回転電機の機内ファン設けることなく機内空気が機内を循環する回転電機を構成する。【解決手段】回転軸１１に回転子鉄心１２が嵌挿されて回転子導体１３が挿入された回転子１０と、中心部に回転子１０が配置される空間を備えた固定子鉄心２１に固定子コイル２２が巻装された固定子２０を備え、固定子２０はフレーム２３により支持し、回転子１０の回転軸１１と回転子鉄心１２の間の軸方向に複数の螺旋状空間を形成し、固定子２０とフレーム２３との間に通風路１４を形成した構成とした。【選択図】図１
2007244177.tif 000002
【特許請求の範囲】
【請求項１】
回転軸の外側に螺旋状通風路を形成した回転子と、該回転子を囲む固定子と、該固定子の外周部を囲って固定子外周部に通風路を形成し、固定子両側を支持するフレームとを備えたことを特徴とする回転電機。
【請求項２】
上記回転子端部の上記螺旋状通風路の入り口に案内羽根を設けたことを特徴とする請求項１記載の回転電機。
【発明の詳細な説明】
【技術分野】
【０００１】
この発明は、電動機または発電機等の固定子と回転子とからなる回転電機に関するものである。
【背景技術】
【０００２】
電動機または発電機等の回転電機は、回転軸に回転子鉄心を嵌装して回転子導体を装着した回転子と、固定子鉄心に固定子コイルが巻回された固定子を備えた構成である。
このように構成された回転電機は、運転されると固定子や回転子の損失による温度上昇があるが、この温度上昇を抑えるために内部空気を循環させて外部に放熱する構造が一般的である。
回転電機の内部空気を機内ファンを設けないで循環させる構成としては、例えば特許文献１にブラシレスモータとして開示されている。
この構成は特許文献１の図２に示されているように、ロータにロータマグネットを備え、ロータマグネットの外径部に軸方向に延びる溝部を形成した構成である。
【０００３】
この構成のロータマグネットは希土類材料で構成しており、希土類材料のマグネットは、フェライト系マグネットに比較して電気抵抗が小さいので、ロータに使用された場合にはうず電流損による発熱が大きくなる。この発熱を冷却する手段として、ロータマグネットの外径部に軸方向に延びる溝部を形成したものであり、溝部を形成したことにより、うず電流損が減少するとともに、冷却風が良好に発生してモータフレーム内に冷却風が流れ、冷却性能が向上すると記載されている。
【０００４】
【特許文献１】特開平０９−０９３８９５号公報
【発明の開示】
【発明が解決しようとする課題】
【０００５】
上記特許文献１に開示された構成は、軸方向に延びる溝を設けたことにより、ロータが回転すると冷却風を良好に発生できて冷却性能の向上が図れると示されている。
しかし、ロータ外周部の軸方向に延びる溝部はロータ外周部に空気の乱流は発生するが、軸方向に空気圧を発生させることはできないので、モータのフレーム内に空気を循環させることはできないという問題点があった。
【０００６】
この発明は、上記問題点を解決するためになされたものであり、回転電機の機内ファンを設けることなく機内空気が機内を循環する回転電機を構成することを目的とする。
【課題を解決するための手段】
【０００７】
この発明に係る回転電機は、回転軸の外側に螺旋状通風路を形成した回転子と、この回転子を囲む固定子と、固定子の外周部を囲って固定子外周部に通風路を形成し、固定子両側を支持するフレームとを備えたものである。
【発明の効果】
【０００８】
この発明に係る回転電機は、固定子をフレームにより支持し、回転子の回転軸の外周部に螺旋状通風路を形成し、固定子と固定子の外周部を囲うフレームとの間に通風路を形成したことにより、機内ファンを設けることなく、機内空気が循環する構成となり、回転電機内部の発熱が回転電機の外周表面から効果的に放熱され、温度上昇が抑制される構成となる。また、機内ファンを設けないことは、軸方向の長さが短くなり、回転電機として軽量化を図ることができる。
【発明を実施するための最良の形態】
【０００９】
実施の形態１．
図１はこの発明に係る実施の形態１の回転電機の中心軸から上部のみを示した断面図であり、図２は図１の回転子の詳細図である。
この構成の回転子１０は、図２の詳細図に示すように、回転軸１１と、回転軸１１の外周に複数の螺旋状通風路１４を設け、その螺旋状通風路１４の外周に回転子鉄心１２を嵌挿し、回転子鉄心１２には回転子導体１３を挿入している。
固定子２０は、中心部に回転子１０が配置される空間を有し、固定子コイル２２が巻装されるスロットを有する固定子鉄心２１と、固定子鉄心２１に巻装された固定子コイル２２とで構成し、固定子２０はフレーム２３により支持し、フレーム２３の内周と固定子鉄心２１の外周部に通風路２４を設けている。
回転子１０の外径と固定子２０の内径との間には空隙１５が形成されている。
固定子２０の両端部には、一対のブラケット２５、２６を配置し、フレーム２３の両端部を閉塞し、ブラケット２５、２６のそれぞれの中心部には回転軸１１を回転自在に支持する軸受２７ａ、２７ｂを設けている。
【００１０】
このように構成された回転電機が運転されると、回転子１０が回転することにより、機内空気は回転子１０の軸方向に螺旋状に延在する螺旋状通風路１４の一方から流入して他方に排出し、固定子コイル２２の端部周囲を通過して通風路２４を通り、固定子コイル２２の他方の端部周囲を通過して螺旋状通風路１４に流入する経路で機内を循環する。
機内空気が機内を循環することにより、機内の各部の温度は平均化し、機内の発熱はフレーム２３、ブラケット２５の外周表面から効率よく放熱されて回転電機の温度上昇が抑制される。また、機内ファンを設けないことは、軸方向の長さが短くなり、回転電機として軽量化を図ることができる。
【００１１】
実施の形態２．
実施の形態１の回転子１０に設けられた螺旋状通風路１４は、回転子１０が回転すると螺旋状通風路１４から機内の空気が螺旋状通風路１４に流入するが、回転条件により螺旋状通風路１４の入口部分で笛吹現象による騒音が発生する可能性がある。この実施の形態２は、螺旋状通風路１４の入口における笛吹現象を防止する案内羽根１６を設けた構成である。図３に実施の形態２の回転子１０の構成を示す。この構成は、図２の回転子１０に複数の螺旋状通風路１４の入口部に案内羽根１６を設けたものである。その他の構成は図２と同一である。
【００１２】
このように螺旋状通風路１４の入口に案内羽根１６を設けると螺旋状通風路１４の入口における笛吹現象の発生が防止でき、流入する空気量を多くする作用がある。
【図面の簡単な説明】
【００１３】
【図１】実施の形態１の回転電機の構成を示す断面図である。
【図２】実施の形態１の回転子の詳細図である。
【図３】図２の回転子の螺旋状通風路に案内羽根を設けた詳細図である。
【符号の説明】
【００１４】
１０  回転子、１１  回転軸、１２  回転子鉄心、１３  回転子導体、
１４  螺旋状通風路、１５  空隙、１６  案内羽根、２０  固定子、２１  固定子鉄心、
２２  固定子コイル、２３  フレーム、２４  通風路、２５，２６  ブラケット、
２７ａ，２７ｂ  軸受。
【図１】
2007244177.tif 000003
【図２】
2007244177.tif 000004
【図３】
2007244177.tif 000005
(57)【要約】【課題】納豆等の粘りが付着した食器類を洗浄する場合、スポンジたわしと洗剤を併用しても洗浄に時間がかかり、スポンジたわし本体にも粘りが移ってしまう問題点がある。そこで、納豆等の粘りが付着した食器類の汚れを短時間で洗浄できて、たわし本体にも汚れが移らない特徴を持つゴムたわしを提供する。【解決手段】柔軟性のあるシリコン等のゴム素材にＶ字型の突起レール（２）をいくつも設けて、食器類の表面から納豆やオクラ等の粘りを根元から強力に掻き落とすことができるゴムたわしを考案する。これは多数のヘラで一度に汚れを掻き落とす効果と同等であり、洗剤を使わなくとも水をかけながら軽くこするだけで十分な洗浄が可能である。さらに、ゴム素材の特性によりゴムたわ本体にも汚れが付着しにくく乾燥も早いので常に清潔に保てるという特徴がある。【選択図】図３
2007244555.tif 000002
【特許請求の範囲】
【請求項１】
柔軟性のあるシリコン等のゴム素材又は樹脂素材のシートに、先端をＶ字形に鋭利に加工した突起のレールを平行に連続させていくつも設け、粘りのある汚れを掻き落とす効果を設けたゴムたわしである。
【発明の詳細な説明】
【技術分野】
【０００１】
本発明は、食器類の洗浄に使用するゴムたわしに関するものである。
【背景技術】
【０００２】
従来、納豆やオクラ等の粘りが付着した食器もスポンジたわし等に洗剤をつけて洗浄している。粘りはスポンジたわし本体にも付着するので、時間をかけてスポンジたわし本体の洗浄も必要である。
【０００３】
そして、スポンジたわしについては洗浄面にＶ型溝を設けて洗浄効果を高めたスポンジたわしがある。
【特許文献１】特開平０１−２８４２２２号広報
【発明の開示】
【発明が解決しようとする課題】
【０００４】
前記従来の洗浄では、納豆やオクラ等の粘りが付着した食器類はスポンジたわしに洗剤をつけて洗浄しても、強固に付着した粘りを落とす効果が弱いため作業時間と水道水が無駄となっている。また、スポンジたわし本体にも粘りが移るため、スポンジたわしの洗浄も必要となる。
【０００５】
[特許文献１]に記載の発明は、表面に連接するＶ形溝にて洗浄効果を発揮するとあるが、素材が柔らかいスポンジゆえ、Ｖ形溝を食器類に密着させると大きく変形してしまい食器類に付着した納豆やオクラ等の粘りを掻き落とす効果が減少する。また、スポンジ素材の中に汚れを取り込むことになるので、特に粘りのある汚れはスポンジから取り除くのは困難である。
【０００６】
これに対し、本発明は、納豆やオクラ等の粘りのある汚れに対する洗浄力を高め、かつ、たわし本体の汚れも容易に除去できる簡易な洗浄用具を得ることを目的とする。
【課題を解決するための手段】
【０００７】
この目的を達成するために、汚れが付着しにくい柔軟性のあるシリコン等のゴム素材又は樹脂素材のシートに、先端をＶ字形に鋭利に加工した突起のレールを連続させていくつも設け、その突起で食器類の表面に付着した粘りを根元から掻き落とす事が出来るゴムたわしにより解決した。
【発明の効果】
【０００８】
本発明のゴムたわしは、ゴム素材のしなやかで密着力のある特性を生かしたＶ字型の突起のレールによって、食器類の表面から納豆やオクラ等の粘りを根元から強力に掻き落とすことが出来る。これは多数のヘラで一度に掻き落とす効果と同等である。また、洗剤を使わなくとも納豆やオクラ等の粘りに対しては食器類に水をかけながらゴムたわしで軽くこするだけで十分な洗浄が可能である。さらに、ゴムたわし本体には汚れが付着しにくいので、スポンジたわしと比較しても早く清潔にたわし本体の洗浄が可能である。よって、水道代や作業時間の削減にも効果がある。
【発明を実施するための最良の形態】
【０００９】
本発明の実施の形態について、図を用いて説明するが、以下の実施形態に限定されることはない。
【００１０】
ゴムたわし本体（１）の大きさは片手で保持出来るものであり、外形に丸みを持たせることで、図４に示すように茶碗の様なえぐれた形状でも無理なく密着させて洗浄できる。また、外形の丸みを上下で変えて草履型にしているので、小さい丸みの方を使えば納豆の容器等の小さい器も洗浄することが出来て使い勝手に優れる。
【００１１】
納豆等の粘りのある汚れを掻き取るためのＶ字型の突起レール（２）をゴムたわし本体（１）の両面に一体成型で多数設けてある。両面に設けることで表裏を確認する事なく素早く洗浄作業が行えるのと、握った時の滑り止め効果及び、両面を交互に使う事で、Ｖ字型の突起の摩耗による洗浄効果減退の寿命を二倍に延ばす事が出来る。尚、Ｖ字型の突起レールの大きさ及び、レールの間隔は洗浄力に影響が出ない範囲で意匠を目的として変形も可能である。
【００１２】
ゴムたわしの厚みは、片手で茶碗等に押し付けた時にＶ字型の突起レール全体が容易に密着し、かつ、片手で握った時に保持し難いほど柔らかすぎない厚みとする。
【００１３】
ゴムたわしの製造は型成型または、Ｖ字型の突起レールも含めてシート状に一体成型された素材を型抜きして製作する。意匠面では素材の成型色、ゴムたわし本体の大きさや形、Ｖ字型の突起レールの形状を予算や市場の要求に基づいて多様化する。また、ゴムたわしのＶ字型の突起レールを片面だけに設けて、突起の無い面にスポンジたわしを接着した複合型の洗浄用具への展開も多様化の手法である。
【実施例】
【００１４】
石膏で型をおこし、シリコンにてゴムたわしを製作した。Ｖ字型の突起レールの高さは２ミリで、Ｖ字の角度は９０度とし、先端は鋭利に加工した。ゴムたわし本体（１）は手の平サイズで厚みは５ミリとし、６ミリ間隔で１１本のＶ字型の突起レール（２）を配置した。洗い方は、納豆を食した後の汚れた茶碗に水をかけながら、図４の様にゴムたわしを茶碗に押し付けながらＶ字型の突起レールを平行に移動させて汚れを掻き落とすように洗浄する。５秒も擦れば茶碗の粘りは綺麗に落とすことができ、ゴムたわしに汚れが移ることもなく非常に清潔であった。結果として、粘りのある汚れを落とすにはＶ字型の突起レールの先端を鋭利に加工することが最重要であり、突起の高さやＶ字の角度、レールの本数はある程度の自由度を設けても同じ洗浄効果を得ることが出来た。
【図面の簡単な説明】
【００１５】
【図１】本実施形態にかかる本発明を示す上面図である。
【図２】本実施形態にかかる本発明の正面図である。
【図３】本実施形態にかかる本発明の斜視図である。
【図４】本実施形態にかかる本発明の使用方法である。
【符号の説明】
【００１６】
１    ゴムたわし本体
２    Ｖ字型の突起レール
【図１】
2007244555.tif 000003
【図２】
2007244555.tif 000004
【図３】
2007244555.tif 000005
【図４】
2007244555.tif 000006
(57)【要約】【課題】ネイルカラー等の容器の形状は片手だけでは使用しづらく、少量になった場合は容器を傾けて使用しなければならず、誤って転倒する場合もあり、爪などに塗ったネイルカラーが乾くまでの作業が困難であった。【解決手段】本体１の側面にクリップ様のキャッチを設ける。この本体１の底部には、角度を変えるアーム２が設けられている。このアーム２には吸盤３が設けられている。アーム２、吸盤３の働きで、片手での作業が容易になる。【選択図】図１
2007244825.tif 000002
【特許請求の範囲】
【請求項１】
スタンドの底部に吸盤を設けたことを、特徴とするネイルカラースタンド。
【請求項２】
前記スタンドに自由に角度を変えることができるアームを設けたことを特徴とする請求項１記載のネイルカラースタンド。
【請求項３】
前記スタンドの収納部側面に、キャッチを設けたことを特徴とする請求項１記載のネイルカラースタンド。
【発明の詳細な説明】
【技術分野】
【０００１】  この発明は、化粧などに用いるネイルカラースタンドなどの形状に関する。
【背景技術】
【０００２】  従来の化粧などに用いるネイルカラー容器などの形状を、図１に示すようにネイルカラー容器などの本体を挿入し固定するものである。
【発明の開示】
【発明が解決しようとする課題】
【０００３】今日の技術によるネイルカラー容器などは、爪などに塗る際  片手だけでは使用しづらく、小量になった場合は容器を傾けて使用しなければならず、誤って転倒する場合もあり、爪などに塗ったネイルカラーが乾くまでの作業が困難である。
そこで、この発明は、ネイルカラーなどの容器を持つことなく、誤って転倒させることなく、片手で塗る作業を容易にすることを提供することを課題とする。
【課題を解決するための手段】
【０００４】  以上の課題を解決するために、第一発明は、スタンドに吸盤を設けたことを特徴とするネイルカラースタンドである。
また、第二発明は、自由に角度を変えることができるアームを設けたことを特徴とするネイルカラースタンドである。また、第三発明は，ネイルカラーなどの容器の形状が違っても固定可能な、キャッチを設けたことを特徴とするネイルカラースタンドである。
【発明の効果】
【０００５】  第一発明、または第二・第三発明によれば、スタンドの底部に吸盤を設け、角度を変えるアームを設け、収納部側面に、キャッチを設けることにより，ネイルカラーなどの容器を持つことなく、誤って転倒させることなく、片手で塗る作業を容易にすることが可能となる。
【発明を実施するための最良の形態】
【０００６】  この発明の一実施形態を、図１に示す。
収納部の本体１の側面にクリップ様の、キャッチが設けられている。この本体１の底部には、角度を変えるアーム２が設けられている。このアーム２には円状の吸盤３が設けられている。【０００７】「実施形態の効果」
この実施形態によれば、円状の吸盤３の働きで、アーム２が角度を変えやすい。
したがって、ネイルカラーなどを収納したときに転倒しにくい。したがって、残量が少なくなったネイルカラーなど、片手での作業が容易になる。【０００８】「他の実施形態」
図１の実施形態では、収納部の一部がクリップ様のキャッチ１であったが、他の実施形態では、収納部のかたちを変えたものでも良い。
【図面の簡単な説明】
【０００９】
【図１】この発明の一実施形態を示す斜視図である。
【符号の説明】
【００１０】    １  本体        ２  アーム
３  吸盤
【図１】
2007244825.tif 000003
(57)【要約】【課題】  各種マイナスイオンを発生する金属ピンを装着し頭皮の活性化をはかる健康器具を提供する。【解決手段】  ピン支持体に金属ピンを植え込み、パイプを利用してその金属ピンの先端部にドラバイト、ゲルマニウム、磁石、チタン等を装着し、さらに伸縮性ベルトに取り外し自在の接着帯を設けたことを特徴とする頭皮活性バンド。【選択図】図１
2007244828.tif 000002
【特許請求の範囲】
【請求項１】
ピン支持体に、金属ピンを植込み、その金属ピンの先端部分にドラバイト、ゲルマニウム、チタン、磁石などを装着し、伸縮性ベルトに取り外し自在の接着帯を設けてなる頭皮活性バンド。
【発明の詳細な説明】
【技術分野】
【０００１】  本発明は、バンドの支持体の金属ピンの先端にそれぞれ、ドラバイト、ゲルマニウム、磁石、チタンを装着した頭皮活性健康具に関するものである。
【背景技術】
【０００２】  従来は合成樹脂のピンで頭皮を刺激するものはあった。
【発明の開示】
【発明が解決しようとする課題】
【０００３】  それには次のような問題があった。
（イ）両端に握手が付いて頭皮に当る部分に合成樹脂のピンが付いていた。使用すると頭皮が痛くなり使用感が悪かった。
（ロ）就寝中に頭に装着できる構造のものは無かった。
（ハ）ピンが合成樹脂であるために、金属元素、マイナスイオン化の働きを発生できるものではなかった。
【課題を解決するための手段】
【０００４】  支持体に金属ピンを植え込み、パイプを利用してそれぞれのピンの先端部にドラバイト、ゲルマニウム、磁石、チタンを任意に装着する。伸縮性ベルトに取り外し自在の接着帯を設けたことを特徴としうる頭皮活性バンドである。
【発明の効果】
【０００５】  上述の構成により、ドラバイト、ゲルマニウム、磁石、チタンの金属元素が皮膚に接触し電子浸透圧が働き、マイナスイオン化して頭皮組織の下に浸透して毛細血管に達し、毛細血管を活性化する。就寝中に装着すれば、頭皮の健康及び発毛、育毛にも効果が期待できる。
【発明を実施するための最良の形態】
【０００６】  以下本発明の実施の形態について説明する。
（イ）ピン支持体▲１▼に金属ピン▲２▼、ゲルマニウム▲３▼、チタンピン▲４▼、磁石ピン▲５▼、ドラバイトピン▲６▼を装着する。
（ロ）ピン支持体▲１▼の両側に伸縮性ベルト▲８▼を接着する。
（ハ）伸縮性ベルト▲８▼の端に取り外し自在の接着帯▲９▼を設ける。ピンの種類によりパイプ▲７▼を利用する。
本発明は以上のような構成であるから、これを使用するときは気になる頭皮の部分に、ピン支持体▲１▼をかぶせるようにしてピンを頭皮に密着させ先端の接着帯▲９▼で固定する。
【図面の簡単な説明】
【０００７】
【図１】本発明の平面図
【図２】本発明の側面図
【図３】本発明の装着図
【符号の説明】
▲１▼ピン支持体
▲２▼金属ピン
▲３▼ゲルマニウムピン
▲４▼チタンピン
▲５▼磁石ピン
▲６▼ドラバイトピン
▲７▼ピン支持パイプ
▲８▼伸縮性ベルト
▲９▼接着帯
【図１】
2007244828.tif 000003
【図２】
2007244828.tif 000004
【図３】
2007244828.tif 000005
(57)【要約】【課題】靴を長時間履くと足が蒸れて気持ちが悪かった。夏場は臭いや水虫の原因にもなっていた。このような課題を解消するために本発明品を提供する。【解決手段】（実施例１）靴の中敷きのかかと部分に弾性部材による空洞（弁付ポンプ機能）を設け、足指のところまで配管した。歩行でかかと部分が上がると空気が空洞（ポンプ機能）にたまり、着地すると空気が指の付け根に設けた空気孔より噴出される。靴の中の空気が歩くたびに循環し、蒸れなくなる。また指間を常に乾燥させて清潔にする。【選択図】図２
2007244821.tif 000002
【特許請求の範囲】
【請求項１】
送風機能付きの靴中敷き及び送風機能を組み込んだサンダル、スリッパー、靴
【発明の詳細な説明】
【技術分野】
【０００１】この発明は、靴の中敷きのかかと部分に弾性部材による空洞（ポンプ機能）を設け、足指のところまで配置した管により、歩行のたびに空気を指の付け根に送り込むものである。
【技術背景】
【０００２】従来は、このような器具はなかった。
【発明の開示】
【発明が解決しようとする課題】
【０００３】夏場靴を長時間履くと足が蒸れて気持ちが悪かった。また臭いや水虫の原因にもなっていた。
【課題を解決するための手段】
【０００４】靴の中敷きのかかと部分に弾性部材による空洞（ポンプ機能）を設けた。歩行でかかと部分が上がると空気が空洞（ポンプ機能）にたまり、着地すると空気が指の付け根に配管された管を通り空気孔より噴出される。
【発明の効果】
【０００５】歩行のたびに靴の中の空気が循環し、蒸れなくなる。また指間を常に乾燥させ清潔にする。
【発明を実施するための最良の形態】
【０００６】以下、本発明の実施の形態について説明する。
イ靴の中敷きのかかと部分に弾性部材による空洞（ポンプ機能）を設けた。
ロ管を指の付け根まで配管し空気孔を設けた。
ハ空洞（ポンプ機能）には弁があり圧迫されると弁が閉じ空気が管に流れて、空気孔より噴出する。
ニ開放されると弾性により吸気となり弁が開いて空気が満たされる。
【実施例１】
【０００７】靴の中敷きのかかと部分に弾性部材による空洞（ポンプ機能）を設け、足指のところまで配置した管の先により空気を送り込むようにした。歩行でかかと部分が上がると空気が空洞（ポンプ機能）にたまり、着地すると空気が指の付け根に配管された管を通り空気孔より噴出される。
【実施例２】
【０００８】上記の通風機能を靴に組み込み一体化する。
【図面の簡単な説明】
【０００９】
【図１】断面図である。
【図２】配管図である。
【符号の説明】
【０００９】１空気孔
２空気管
３弾性部材
４弁
５空洞（ポンプ機能）
６空気
７かかとで圧迫されたところ
【図１】
2007244821.tif 000003
【図２】
2007244821.tif 000004
(57)【要約】      （修正有）【課題】生活環境で、電子レンジ、携帯電話、テレビ、パソコン等、様々な物から電磁波が放出され、人体は常に静電気を帯電し、蓄積された静電気は人体の生体電位に乱れを生じさせ、体内のバランスを崩し健康を損なう原因となるが、電磁波が人体に及ぼす悪影響を取り除く体内電磁波コントロール身体装身具を提供する。【解決手段】約３ｍｍボルトの静電気が必要であり、３ｍｍボルト前後を超えると放電する放電管を使用して磁気の収集と放電を交互に作動させるようにする。体内に帯電された電磁波は絶縁物のゴムにより真ん中の放電管に集約され３ｍｍボルト以上になると、放電する。【選択図】図１
2007244822.tif 000002
【特許請求の範囲】
【請求項１】
磁気のチェーンとアンチャージが装着物の中央にある窓から発する色で分かります。
放電時は、赤い光を発します。
【請求項２】
ネックレスの留め具の部分が絶縁物になっているのでチェーンで中央に蓄積された静電気が放電管によって放電されます。
【発明の詳細な説明】
【発明の詳細な説明】
【発明の実態】
【０００１】  本発明は、体内に蓄積された静電気、磁気を単に除去するだけではなく、体内に必要な分の静電気を残しながら除去すると言う、静電気をコントロールできる画期的な発明品です。
【発明が解決しようとする課題】
【０００２】  現在の生活環境で、電子レンジ、テレビ、パソコン、携帯電話等は、強い電磁波を放出している。
その電磁波により、人体は常に静電気を帯び、蓄積された静電気は、人体の生体電位に乱れを生じさせ生理的バランスを崩し、その結果、健康を損なう大きな原因となっていることが明かとなっております。しかし、人間の身体には、約３ｍｍボルトと言う必要な量の静電気があります。本発明品はその３ｍｍボルト前後を越えた時に放電します。
【課題を解決するための手段】
【０００３】  上記の問題点を解決するため本発明品は放電管を使用し、磁気の収集と放電を交互に作動し、電位のコントロールをスムーズに行う事ができます。
【図１】
2007244822.tif 000003
【手続補正書】
【提出日】平成18年6月8日(2006.6.8)
【手続補正２】
【補正対象書類名】明細書
【補正対象項目名】全文
【補正方法】変更
【補正の内容】
【発明の詳細な説明】
【技術分野】
【０００１】電磁波から身体を防護する身体装着品に関する。
【背景技術】
【０００２】日常生活での電磁波の身体への影響を阻止する類似品として、特許文献１に示すものがある。
【特許文献１】１５０００４号
【発明の実態】
【０００３】本発明は、体内に蓄積された静電気、磁気を単に除去するだけではなく体内に必要な分の静電気を残しながら除去すると言う静電気をコントロールできる画期的な発明品です。
【発明が解決しようとする課題】
【０００４】現在の生活環境で、電子レンジ、テレビパソコン、携帯電話等は強い電磁波を放出している。
その電磁波により、人体は常に静電気を帯電、蓄積された静電気は、人体の生体電位に乱れを生じさせ生理的バランスを崩し、その結果、健康を損なう大きな原因となっていることが明らかとなっております。
しかし人間の身体には約３ｍｍボルトの静電気が必要です。
本発明品はその３ｍｍボルト前後を超えた時に放電します。
【課題を解決するための手段】
【０００５】上記の問題点を解決するため本発明品は放電管を使用し磁気の収集と放電を交互に作動し、身体から吸収した磁気の身体が必要な分を残し、多い分だけが放電されます。
【図面の簡単な説明】
【０００６】
【図１】右と左のチェーンで相互に片側から人体内の磁気が３ｍｍボルト前後になると放電し、その時放管が働き放電管も光り出す。磁気が３ｍｍボルト前後になると放電し、その時残して、多い分だけが放電されて、繰り返し、反復運動を自動コントロールする。
【図２】図面−２（写真）は図面−１の丸型の物の分解した写真です。中央にあるのが放電管です。
【手続補正４】
【補正対象書類名】特許請求の範囲
【補正対象項目名】全文
【補正方法】変更
【補正の内容】
【特許請求の範囲】
【請求項１】
磁気のチャージとアンチャージが装着物の中央にある窓から発する色で分かります。
放電時は赤い光を発します。
【請求項２】
放電管を内部に設置していることを特徴とする金属製身体装着品。
【手続補正５】
【補正対象書類名】図面
【補正対象項目名】全図
【補正方法】変更
【補正の内容】
【図１】
2007244822.tif 000004
【図２】
2007244822.tif 000005
(57)【要約】【課題】  勃起角度、及び勃起状態の維持、安定性を向上させることにより、勃起障害による性行為の不成立を改善すること。【解決手段】  らせん形状をした補助器具を陰嚢と陰茎に装着することにより、勃起角度、及び勃起状態の維持、安定性の向上が可能となり、勃起障害による性行為の不成立を改善する。【選択図】図２
2007244831.tif 000002
【特許請求の範囲】
【請求項１】
らせん形状の補助器具を陰嚢と陰茎に装着することにより、勃起角度、及び勃起状態の維持、安定性を向上させ、勃起障害による性行為の不成立を改善させることを特徴とする。
【発明の詳細な説明】
【技術分野】
【０００１】  本発明は勃起障害による性行為の不成立を改善させることに関するものであり、らせん形状をした補助器具の使用により、その問題の解決を目的としたものである。
【背景技術】
【０００２】  従来から、勃起障害の補助器具としてリング状の道具が公知されている。この例として特許文献１や、登録実用新案文献１に開示されているものがある。
【特許文献１】  特許公開平１０−２７７０７６号公報
【登録実用新案文献１】
登録実用新案第３０３１３８７号
【発明の開示】
【発明が解決しようとする課題】
【０００３】  性行為時の勃起角度、及び勃起状態の維持、安定性を向上させ、勃起障害による性行為の不成立を改善させることを課題とする。
【課題を解決するための手段】
【０００４】  これらの課題を解決するための請求項１の発明は、らせん形状の補助器具を陰嚢と陰茎に装着させることにより、勃起角度、及び勃起状態の維持、安定性を向上させ、勃起障害による性行為の不成立を改善することができる。
【発明の効果】
【０００５】  勃起角度、及び勃起状態の維持、安定性が向上され、勃起障害による性行為の不成立を改善させることができる。
【発明を実施するための最良の形態】
【０００６】  勃起角度の向上は図２の１と２の戻る力を利用することにより解決することができる。また、図２の１のらせん部分の巻き数は特に指定しない。【０００７】  勃起状態の維持、安定性の向上は図２の２から６が陰茎を支えることにより解決することができる。また、図２の２から６のらせん部分の巻き数は特に指定しない。【０００８】  勃起状態に合わせて図２の２から６の内径が伸縮することにより、補助器具装着による陰茎へのストレスを軽減することができる。【０００９】  補助器具の材料は人体への影響が少なく、弾力性のあるシリコンゴムなどがよい。また、装着する際の器具には潤滑ゼリーなどが付いていることが望ましい。【００１０】  らせん形状であることにより、図２のように装着することが簡単である。
【産業上の利用可能性】
【００１１】  本発明に係る性行為補助器具は、工業的に量産することが可能であるため、産業上の利用可能性を有する。
【図面の簡単な説明】
【００１２】
【図１】  装着前の性行為補助器具である。
【図２】  装着時の性行為補助器具である。
【符号の説明】
【００１３】  １    陰嚢部分の巻き付ける補助器具の１部
２    下腹部に接触させ陰茎に巻き付ける補助器具の１部
３    陰茎に巻き付ける補助器具の１部
４    陰茎に巻き付ける補助器具の１部
５    陰茎に巻き付ける補助器具の１部
６    陰茎に巻き付ける補助器具の１部
７    陰茎
８    陰嚢
９    下腹部
【図１】
2007244831.tif 000003
【図２】
2007244831.tif 000004
(57)【要約】      （修正有）【課題】従来の多機能健康具は、突起ゴムを木ネジで取り付けているため、ゴムの柔軟性を減じるという問題があった。また取り付けに手間がかかりコストがかかっていた。これらの問題点を解決し、突起ゴム全体の柔軟性で足裏叩きやマッサージ・指圧をすることができ、簡単な取り付けで低コストで製作できる多機能健康器具を提供する。【解決手段】基板１と握柄２を一体に形成し、基板に設けた取付孔６に突起ゴム３の取付部を嵌入する。【選択図】図１
2007244834.tif 000002
【特許請求の範囲】
【請求項１】
基板と握柄を一体に形成し、基板に設けた複数の取付孔に、突起ゴムの取付部を嵌入したことを特徴とする多機能健康具。
【請求項２】
突起ゴムの取付部の先端に、小突起を形成した請求項１記載の多機能健康具。
【発明の詳細な説明】
【技術分野】
【０００１】  本発明は、指圧、マツサージ、叩き具に使用可能な多機能健康具に関する。
【技術背景】
【０００２】  従来の多機能健康具は各種あるが、握柄を具備した基板に、複数の柔軟な突起ゴムを設けたものがある。（例えば、特許文献１参照）
【０００３】  以下、図４により従来の多機能健康具について説明する。図において、１は基板で握柄２を具備している。基板１の表面と側面に突起ゴム３を木ネジ５で取り付けている。
【０００４】
【特許文献】  意匠登録第１２６５８９３号
【発明の開示】
【発明が解決しようとする課題】
【０００５】  以上に述べた従来の多機能健康具では、突起ゴムは木ネジで基板に取り付けているため、図４に示すように、突起ゴムの柔軟部分は、木ネジ頭部の上部側のみということになり柔軟性が減ずるという問題がある。足の裏の皮膚の厚さは他の皮膚の厚さの２５倍あり、硬いもので叩くと角化症になり痛みが発生する。可能な限り柔軟性の高いもののほうがよい。またふくらはぎや肩や首は皮膚が柔らかいので柔軟性の減じたものでは、痛みを伴いマツサージ効果は十分に得られない。また突起ゴムは木ネジで取り付けるため、ひとつひとつ手で取り付けるため、手間やコストがかかるという問題もあつた。【０００６】  本発明は、このような従来の構成が有していた問題を解決しようとするものであり、突起ゴム全体の柔軟性で足裏叩きやマツサージ・指圧をすることができ、簡易な取り付けで低コストで製作できる多機能健康具を実現することを目的とするものである。
【課題を解決するための手段】
【０００７】  そして、本発明は上記目的を達成するために基板と握柄を一体に形成し基板に設けた複数の取付孔に、突起ゴムの取付部を嵌入したものである。嵌入した取付部が取付孔から脱出しないように、取付孔の内径より取付部の外径を大に形成し、また取付孔に取付部を容易に嵌入できるように、取付部先端にテーパーを形成するとよい。【０００８】  基板表面と側部、握柄端部に穿設する取付孔は貫通孔を形成するか、凹部形状に形成した孔とするとよい。【０００９】  突起ゴムの突起部の形状は断面山形形状であるが、断面円形形状、断面半円形形状、断面三角形状としてもよい。また突起ゴムは柔軟なプラスチツク材質に置き換えてもよい。【００１０】  基板はプラスチツクで一体形成とするが、木材を使用してもよい。【００１１】  基板の表面の取付孔に突起ゴムを取り付ける他の方法として、突起ゴムの取付部の先端に小突起を形成したものである。取付孔の内径は取付部の外径より大き目に形成し、小突起の外径より小さ目に形成するとよい。【００１２】  上記の解決手段による作用は次ぎの通りである。プラスチツクで一体形成された基板の取付孔に、突起ゴムの頭部を強く押すだけで、また取付部の先端部にテーパを形成しているので、突起ゴムの取付部は取付孔に容易に嵌入する。そして取付孔の内径は取付部の外径より小さく形成しているので突起ゴムは嵌入して固定される。また突起ゴムの頭部を押す作業で嵌入するので、手間はかからず、作業は容易である。また突起ゴムの取付部に小突起を形成したものは、挿入時、小突起の出張り部分が自ら曲折して容易に取付孔に挿通し、突起ゴムは固定される。取付孔を貫通した出張り部分は元の状態に復元してストツパーとなり、突起ゴムが脱落しないようになつている。
【発明の効果】
【００１３】  上述したように本発明の多機能健康具は、基板に取り付けた突起ゴム全体が柔軟な素材だけで形成し取り付けているので、柔軟性が減ずるということはなくなつた。【００１４】  突起ゴムの取り付けが容易になつたので、製作コストを低減できるようになつた。
【発明を実施するための最良の形態】  以下、本発明の実施の形態を図１〜図３に基づいて説明する。【００１５】（実施例１）図においては、１は基板で握柄２とプラスチツク材で一体に略羽子板形状に形成し、基板１の表面に貫通した取付孔６を適宜の間隔で穿設している。また基板１の握柄２の端部と基板１の側部に、取付孔６を穿設している。また基板１の先端側に紐取付孔４を穿設している。紐取付孔４に紐を緊縛してマツサージをするときに使用する。基板１に取り付ける突起ゴム３は、突起部７と取付部８で形成し、柔軟なゴム素材で一体に形成している。突起ゴム３の取付部８の先端にテーパー部９を形成している。図２（イ）に示すように、基板１の取付孔６の内径は取付部８の外径より小に形成しているが、取付部８は柔軟な素材で、且先端部をテーパーに形成しているので、取付部８を取付孔６に嵌入させ取り付けることができる。【００１６】（実施例２）取付部８に小突起１０を設けているものは、取付部８の外径は取付孔６の内径より小で、小突起１０の出張り部１１の外径は取付孔６の内径より大である。出張り部１１は柔軟なゴム素材で形成しているので、取付孔６に挿入時、自ら曲折して取付孔６に挿通することができ、図３（ロ）に示すように出張り部１１が元の状態に復元し、基板１に突起ゴム３を取り付けることができる。
【図面の簡単な説明】
【００１７】
【図１】  本発明の実施例１を示す平面図と（Ａ−Ａ矢視断面図）と（Ｂ−Ｂ矢視図）
【図２】  図１の突起ゴムの取付状態を示す参考図
【図３】  実施例２の突起ゴムの取付状態を示す参考図
【図４】  従来の多機能健康具の平面図
【符号の説明】
【００１８】    １  基板
２  握柄
３  突起ゴム
４  紐取付孔
５  木ネジ
６  取付孔
７  突起部
８  取付部
９  テーパー部
１０  小突起
１１  出張り部
【図１】
2007244834.tif 000003
【図２】
2007244834.tif 000004
【図３】
2007244834.tif 000005
【図４】
2007244834.tif 000006
(57)【要約】【課題】従来のものは部分的にだけ暖めるものしかなく、そのものによっては靴のサイズや形を微妙に変えてしまう事がある。【解決手段】靴下やレッグウォーマー等の少なくとも足首からふくらはぎ2007244836.tif 000008のツボに当たる位置にポケットを設け、使い捨てカイロを入れて血流の向上を図る足用健康促進具。【選択図】図１
2007244836.tif 000002
【特許請求の範囲】
【請求項１】
靴下やレッグウォーマー等の少なくとも足首からふくらはぎまでを覆うように
2007244836.tif 000007
位置にポケットを設け、使い捨てカイロを入れて血流の向上を図る足用健康促進具。
【発明の詳細な説明】
【技術分野】
【０００１】  本発明は、靴下やレッグウォーマー等の少なくとも足首からふくらはぎまでを覆うように装着する足用装着具の後ろふくらはぎ部分位置にポケットを設け使い捨てカイロを入れる足用健康促進具である。
【背景技術】
【０００２】  従来、靴下の底に貼りつけるタイプの使い捨てカイロ、又は、靴の中敷のように靴のつま先部分に敷くタイプの使い捨てカイロしかなく靴下の足首からひざ下まで安定的につけるものがなかった。
【発明の開示】
【発明が解決しようとする課題】
【０００３】    そのために、次のような問題があった。
（イ）靴下の底に貼りつけるタイプの使い捨てカイロ、又は、靴のつま先だけに貼りつけるタイプの使い捨てカイロだと、つま先のみだけの部分的に温かいだけで足全体は温まらなかった。
（ロ）靴のタイプによっては  そのものを貼りつける事により、サイズが微妙に変わり、足に負担がかかり、靴自体の形も変わってしまう事がある。
本発明は以上の問題点を解決するためになされたものである。
【課題を解決するための手段】
【０００４】  靴下やレッグウォーマー等の少なくとも足首からふくらはぎを覆うように
2007244836.tif 000003
たる位置にポケットを設け、使い捨てカイロを入れて、血流の向上を図る足用健康促進具である。
【発明の効果】
【０００５】（イ）本発明は、後ろふくらはぎ部分にポケットがある事により、使い捨てカイロを入れても足にぴったりフィットし、はがれ落ちる事がなく普通の靴なら支障なくはける。
（ロ）ふくらはぎは多くの血管が集まる場所で血液を全身にまわすポンプの役割りをしており、ここが冷たかったり硬かったりすると病気になりやすいと言われ、そのふくらはぎを温める事により、老廃物や疲労物質が排出され（デトックス効果）血流が良くなり冷え性や肩こり血管性の病気を予防する。
【発明を実施するための最良の形態】
【０００６】以下、本発明の第一実施の形態について図１から図４を用いて説明する。図１は本発明の分解斜視図  図２は本発明の使用説明図、図３は足ツボの説明図、図４は本発明の使用状態図である。
（イ）本発明は靴下１と該靴下１に取り付けるポケット部材２とにより構成される。靴下は足およびふくらはぎまでを覆う形状のものであり、ポケット部材２は任意の使い捨てカイロ３を収納するために必要な大きさ形状よりなる。
（ロ）靴下１及びポケット部材２は綿やウール、ナイロンなどの通常使用される素材のものでよいが、トルマリン、ドラバイト等の遠赤外線効果を得られるものであることが望ましい。
また、ポケット部材２は図２に示すように上部が開口部となるようにその他周縁に縫合部４がくるように縫合されたものである。
2007244836.tif 000004
承山に当たる位置とする。
本発明は以上の構成よりなる
以下、使用方法について説明する。
本発明を使用するときは、本発明の靴下１をはき、ポケットに任意の暖熱効果のある使い捨てカイロ３を収納する。
2007244836.tif 000005
承山のツボを暖める。
2007244836.tif 000006
アキレス腱炎、食あたり、吐き気、乗り物酔いに対する効果を得、承山を暖めることにより腰痛、こむらがえり、坐骨神経痛、痔、高血圧、前立腺肥大に対する効果を得ることができる。これにより、単に足を暖めるだけでなく効果的に血流を促進させ、短時間による冷え解消を図ることができる。またその位置は短靴に当たらない位置となっているため、図４に示すように靴をはいた状態で使用することができる。
靴下１やポケット部材２に遠赤外線効果のある素材を利用した場合においては、体の熱が遠赤効果により装着した部位を暖めるので、使い捨てカイロ３を利用しなくても多少の効果を得ることができる。あわせて使い捨てカイロ３を使用した場合においても早期効果と持続効果を得ることができる。【０００７】以下、本発明の第２実施の形態について図５を用いて説明する。
図５は本発明の他の実施例図である。
本発明においては靴下ではなくレッグウォーマーを利用したものである。形状は前記事例と異なるが、その他素材や位置、使用方法、効果などは同様のものとなる。
【図面の簡単な説明】
【０００８】
【図１】  本発明の分解斜視図
【図２】  本発明の使用説明図
【図３】  本発明の足ツボの説明図
【図４】  本発明の使用状態図
【図５】  本発明の他の実施例図
【符号の説明】
【０００９】  １  靴下本体
２  ポケット部材
３  使い捨てカイロ
４  縫合部
【図１】
2007244836.tif 000009
【図２】
2007244836.tif 000010
【図３】
2007244836.tif 000011
【図４】
2007244836.tif 000012
【図５】
2007244836.tif 000013
(57)【要約】      （修正有）【課題】  器の飲み口の汚れを目立たせなくする。【解決手段】器の飲み口に着色・柄つけし目立たなくすることにより解決する。【選択図】図３
2007244832.tif 000002
【特許請求の範囲】
【請求項１】
飲み口をカラーにした事を特徴とする、紙・プラスチック・発泡スチロール等の使い捨てコップ及び直接口をつけて飲む形状の器全般。
【発明の詳細な説明】
【技術分野】
【０００１】  本発明は、器に関するものであり、器の飲み口に色・柄を付けることによって、飲んでいる途中のコップの飲み口の汚れを目立たせなくするものである。
【背景技術】
【０００２】従来の飲料のための器にはデザイン的模様・色付け等は  なされているがあえて飲み口は模様・色付けされていないものが大半である。
【発明の開示】
【発明が解決しようとする課題】
【０００３】しかし、従来のような器では飲み口に口紅等の汚れが目立ち、汚れを着かなくするために唇の接触面が少なくなるよう飲んだり（時に溢すこともある）一箇所で飲むなど類意したりと気を遣うが汚れ部分は少なくなるが解決にはいたらない。使う人のストレスと見た目に不快感をともなう。本発明はこのような日常の不自由を解決するものである。
【課題を解決するための手段】
【０００４】  以上の課題を解決するために、請求項１の発明は、紙・プラスチック・発泡スチロール等の使い捨てコップおよび陶磁器・ガラス等、直接口をつけて飲む形状の器全般の飲み口に色・柄つけすることにより、汚れを目立たなくする効果がある。
【発明の効果】
【００５】  本発明により、飲料の飲み口に着く汚れを目立たなくする効果がある。汚れ自体、口紅等によるもので他の汚れとは異なる視界的不快感をともなうものでこれを解決するものである。
【発明を実施するための最良の形態】
【００６】  この発明の実施形態を、図１に示す。現行市販及び使用されている汎用紙コップの飲み口に色・柄等をプリントするもの。【００７】  図２は汎用タイプの紙コップの展開図である。【００８】  図３は湯のみの飲み口に彩色したものである。【００９】  図４は発泡スチロール等形成型コップに原材料自体に着色して形成時に口元のみカラー部分が出るようしたものである。
【産業上の利用可能性】
【００１０】  本発明に係るプリント及び製造は容易にできるもので、工業的に量産することが可能であるため産業上の利用可能性を有する。
【図面の簡単な説明】
【００１１】
【図１】この発明の一実施形態を示す斜視図である。
【図２】この発明の展開図である。
【図３】この発明の一実施形態を示す斜視図である。
【図４】この発明の一実施形態を示す斜視図である。
【符号の説明】
【００１２】１  器本体
２  着色・柄つけ対象部分
３  着色・柄つけしたもの
【図１】
2007244832.tif 000003
【図２】
2007244832.tif 000004
【図３】
2007244832.tif 000005
【図４】
2007244832.tif 000006
(57)【要約】【課題】超音波の振動面を上にして使うので砂塵や雨の影響を受けやすく、防塵防水が重要となる。【解決手段】超音波ユニットを何如に効率良く作動させ、防塵防水効果を高める事が出來るかが重要である。【選択図】なし【特許請求の範囲】
【請求項１】
車の後に４０ＫＨＺ位の超音波の振動子と受振子を置き、後にある障害物を何ｃｍの位置にあるかを運転席で見判ける電子機器がありますが，  此れを発想の転換をして、数十個野球のホームベース上に送信、受信のエレメントを交互に接置してホームベース状の形にすれば、上方を通るボールは弱い反射波を残して通るが、ストライクゾーンにはいる高さ迄のデータを集収して記憶し、それ以上の高さの物は切りすてる、何１０ｃｍ以下のところはボールにすると云う様に、上下の距離を決めれば、これはｍｍのオーダーで決られるので究めて精度が高く、個人差が無く、一度設定して置けば敵、味方に関係なく公正に差動する。  但し雨や砂埃りに弱くラップ等にて補護する必要がある。
又外気温度の影響を受け易い為め補障回路を必要とする。ホームベース上を通らないものはすべてボールとなる。バッターやバットの仕草によりノイズが入るが、アンパイアーはワイアレスのキャンセラーを持っていて、投球の直前にノイズをクリアーにする。  ストライクの場合通過した経路を高輝度ＬＥＤでホームベース上に表示する事が出來る。勿論必要とあればストライクは球速も標示する事が出來る。  以上の様な構造と効果に依りアンパイヤーを補佐する機械。
【発明の詳細な説明】
【技術分野】
【０００１】本発明は野球に於ける審判員の判断を楽にする為の一石である。
【背景技術】
【０００２】車の後部に取付け運転席にいながら障害物や壁等の距離を測った。
【発明の開示】
【発明が解決しようとする課題】
【０００３】野球が国際化すると地域によってストライクゾーンの違いがめだち国際試合ともなると選手達に当惑も出、統一せねばならぬ問題となった。
【課題を解決するための手段】
【０００４】トランジスタで簡単に発振させる事が出來る上、媒体に超音波を用いる事で指向性は高くなり、解像力は良くなる。
【発明の効果】
【０００５】今迄国際試合の場合、ストライクゾーンにおいて何らかのわだかまりがあったがソニック審球が出來た事で、事前に解決する事が出來た。
【産業上の利用可能性】
【０００６】整品管理等の場合重量や形状管理が出來る。
(57)【要約】【課題】  ペットの糞尿を処理するときに、従来のロール式トイレットペーパーでは、室内に置いておくのに見た目にも不快であり使用時も不便である。  また従来の箱入りティッシュは水洗トイレに流せない紙質であるため、ペットの糞尿処理には不向きである。  現在、糞の正しい処理方法を知らないマナーの悪い飼主も多く、ペットの糞害が社会的問題となっている。【解決手段】  適度なサイズにカットされた水溶性質紙ペーパーが箱に入っており、箱の側面もしくは上面より簡単に取り出せる形にする。  更に室内との調和を保つためデザイン性に優れたものにすることにより、使用者を増やし糞の正しい処理方法を広めて飼主のマナー向上を目指す。【選択図】図１
2007244818.tif 000002
【特許請求の範囲】
【請求項１】
水溶性質紙ペーパーの箱入りティッシュは、適度なサイズにカットされた水溶性質紙が複数枚箱に入っており、箱の側面より必要な枚数を簡単に取り出せる形になっており、かつデザイン性に優れたインテリアに調和するものを、水溶性質紙ペーパーの箱入りティッシュとする。
【請求項２】
水溶性質紙ペーパーの箱入りティッシュは、複数枚の適度なサイズにカットされた水溶性質紙が折り重なって箱に入っており、箱の上面より一枚づつ簡単に取り出せる形になっており、かつデザイン性に優れたインテリアに調和するものを、水溶性質紙ペーパーの箱入りティッシュとする。
【発明の詳細な説明】
【技術分野】
【０００１】  本発明は、ペットを飼養する家庭を対象に室内に置くことを前提とした、従来のロール紙式トイレットペーパーの性質を持つ、箱入りティッシュペーパーに関するものである。
【背景技術】
【０００２】  ペットの糞尿を処理するときに、従来のロール式トイレットペーパーでは、室内に置いておくのに見た目にも不快であり使用時も不便である。
また従来の箱入りティッシュは水洗トイレに流せない紙質であるため、ペットの糞尿処理には不向きである。
現在、糞の正しい処理方法を知らないマナーの悪い飼主も多く、ペットの糞害が社会的問題となっている。
【発明の開示】
【発明が解決しようとする課題】
【０００３】  ペットの糞尿処理をスムーズに行い、かつ室内との調和を保つため、利便性・デザイン性を考慮した、水洗トイレに流せる水溶性質紙ペーパーの箱入りティッシュを提供することを目的とする。
また社会的問題である糞害対策の一環として、飼主のマナー向上を目的とする。
【課題を解決するための手段】
【０００４】  適度なサイズにカットされた水溶性質紙ペーパーが箱に入っており、箱の側面もしくは上面より簡単に取り出せる形にする。
更に室内との調和を保つためデザイン性に優れたものにすることにより、使用者を増やし糞の正しい処理方法を広めて飼主のマナー向上を目指す。
【発明の効果】
【０００５】  水溶性質紙ペーパーを箱に入れることにより、室内での調和（インテリア）を重視する飼主の要望を満たし、また１枚のサイズを適度な大きさにカットすることにより利便性も向上させるものである。
また正しい糞処理方法を広めることにより、飼主のマナーを向上させ、社会的問題となっている糞害をなくすよう働きかけることを目的とする。
【発明を実施するための最良の形態】
【０００６】  適度なサイズにカットされた水溶性質紙ペーパーを化粧箱に入れ、更に必要な枚数を取り出しやすくし、利便性・デザイン性に優れたものにすることで発明の効果が生じる。
【図面の簡単な説明】
【０００７】
【図１】水溶性質紙ペーパーの箱入りティッシュの取り出し口が側面にある箱を示した立体図である。取り出し口は使用者に合わせて、長方向でも短方向でも可能である。
【図２】水溶性質紙ペーパーの箱入りティッシュの取り出し口が側面にある箱を示した断面図である。
【図３】水溶性質紙ペーパーの箱入りティッシュの取り出し口が上面にある箱を示した立体図である。
【図４】水溶性質紙ペーパーの箱入りティッシュの取り出し口が上面にある箱を示した断面図である。
【符号の説明】
【０００８】  １．水溶性質のティッシュペーパー
２．紙箱
３．ティッシュ取り出し口
【図１】
2007244818.tif 000003
【図２】
2007244818.tif 000004
【図３】
2007244818.tif 000005
【図４】
2007244818.tif 000006
(57)【要約】【課題】靴を長時間履くと足が蒸れて気持ちが悪かった。夏場は臭いや水虫の原因にもなっていた。このような課題を解消するために本発明品を提供する。【解決手段】（実施例１）かかと部分に電池とモーターにて動作するファンを組み込み、足指のところまで配置した管の先により空気を送り込むようにした。スイッチを入れるとファンが回転し、空気が指の付け根に配管された管を通り空気孔より噴出されるため、靴の中の空気が循環し、蒸れなくなる。また指間を常に乾燥させ清潔にする。寒い冬場はヒーターを付属し暖房も可能である。【選択図】図１
2007244820.tif 000002
【特許請求の範囲】
【請求項１】
送風機能（ファン）を組み込んだ送風・暖房靴及びスニーカー、サンダル、スリッパ
【発明の詳細な説明】
【技術分野】
【０００１】この発明は、かかと部分に電池とモーターにて動作するファンを組み込み、足指のところまで配置した管により空気を送り込むものである。
【技術背景】
【０００２】従来は、このようなものはなかった。
【発明の開示】
【発明が解決しようとする課題】
【０００３】靴を長時間履くと足が蒸れて気持ちが悪かった。臭いや水虫の原因にもなっていた。
【課題を解決するための手段】
【０００４】かかと部分に電池とモーターにて動作するファンを組み込み、足指のところまで配置した管の先により空気を送り込むようにした。
【発明の効果】
【０００５】スイッチを入れるとファンが回転し、空気が指の付け根まで配管された管を通り空気孔より噴出されるため、靴の中の空気が循環し、蒸れなくなる。また指間を常に乾燥させ清潔にする。寒い冬場はヒーターを付属し暖房も可能とする。
【発明を実施するための最良の形態】
【０００６】以下、本発明の実施の形態について説明する。
イかかと部分に電池で動作するファンを組み込んだ。
ロ管を指の付け根まで配管し空気孔を設けた。
ハスイッチを入れるとファンが回転し、空気が管に流れて、空気孔より噴出する。
【実施例１】
【０００７】かかと部分に電池で動作するファンを組み込み、管を指の付け根まで配管し空気孔を設けた。スイッチを入れるとファンが回転し、空気が管を通って空気孔より噴出するようにした。
【図面の簡単な説明】
【０００９】
【図１】断面図である。
【図２】平面図である。
【符号の説明】
【０００９】１靴
２空気孔
３配管
４モーター
５電池
６ファン
７吸気口
８スイッチ
【図１】
2007244820.tif 000003
【図２】
2007244820.tif 000004